(57)【特許請求の範囲】
【請求項１】
フードの処置窓に対する角度が臨界角よりも大きければ前記処置窓を開放する方向へ回動し前記臨界角よりも小さければ前記処置窓を閉塞する方向へ回動する扉と、
前記開放の状態から前記閉塞の状態へ向かう途中で前記角度が前記臨界角よりも小さい作動角になった時に作動状態になり、この作動状態では前記作動角と前記閉塞状態との間の前記角度における前記扉の回動を許容すると共に前記作動角よりも前記開放方向への前記扉の回動を抑止する扉回動制限手段と、
前記扉を前記閉塞状態に固定する扉固定手段とを具備し、
前記扉回動制限手段が、扉回動制限用の殻部に当接する突起と、上記作動状態を解除するために操作される作動解除用ツマミとを具備し、
前記処置窓を閉塞する方向への前記扉の回動時には、前記突起が、前記扉回動制限用殻部に当接しても、前記扉回動制限用殻部を乗り越えることができるように構成されると共に、前記処置窓を開放する方向への前記扉の回動時には、前記突起が、前記扉回動制限用殻部に当接することによって、前記扉の回動を抑止するように構成され、
前記作動解除用ツマミが操作されたときには、前記処置窓を開放する方向への前記扉の回動時でも、前記扉の回動が許容されるように構成されている保育器。
【発明の詳細な説明】
【０００１】
【発明の属する技術分野】
本願の発明は、自らの力では体温調節等をできない未熟児等に適切な生理的環境を与えてその育成を図るための保育器に関するものである。
【０００２】
【従来の技術】
図７〜１１が、保育器の一従来例を示している。図１１に示されている様に、この一従来例の保育器１１では、未熟児等を収容するための透明なフード１２が基台１３上の基部１４上に取り付けられており、フード１２外からフード１２内の収容児に処置を施すための処置窓１５とこの処置窓１５を開閉するための透明なアクリル樹脂製の扉１６とがフード１２に備えられている。処置窓１５よりも外側で且つ基台１３側に扉１６の回動軸１７が備えられているので、処置窓１５に対する扉１６の角度がある所定の角度よりも大きいか小さいかによって、扉１６は処置窓１５を開放する方向か閉塞する方向かの何れかへ自重で回動し、本願明細書ではこの所定の角度を臨界角と称する。
【０００３】
扉１６及びフード１２には扉固定機構２１が備えられており、扉１６に回動可能に取り付けられている処置窓開閉ツマミ２２とフード１２の側面に取り付けられている凹状の処置窓開閉ツマミ受け２３とで扉固定機構２１が構成されている。即ち、図７、８に示されている様に、処置窓開閉ツマミ受け２３内に処置窓開閉ツマミ２２が嵌入されることによって、扉１６が処置窓１５を閉塞している状態に扉固定機構２１で固定される。扉１６にはワンタッチ式手入窓２４が備えられており、フード１２の側面にもワンタッチ式手入窓２４や絞り式手入窓（図示せず）が備えられている。
【０００４】
フード１２内には収容児のための臥床台（図示せず）が備えられており、臥床台傾斜ハンドル２５が処置窓１５の近傍に備えられている。一方の臥床台傾斜ハンドル２５を操作することによって臥床台を傾斜させることができ、両方の臥床台傾斜ハンドル２５を同時に操作することによって臥床台の高さを調節することができる。臥床台傾斜ハンドル２５の近傍には制御パネル２６が備えられており、フード１２内の温度や湿度や酸素濃度等を収容児に適切な値に制御するためのボタン（図示せず）や表示部（図示せず）等が制御パネル２６に備えられている。基台１３にはキャスタ２７が取り付けられている。
【０００５】
以上の様な従来例の保育器１１では、収容児に対する処置の必要性が生じると、医師や看護婦等が、処置窓開閉ツマミ２２を回動させて処置窓開閉ツマミ受け２３内から処置窓開閉ツマミ２２を脱出させることによって扉１６の固定を解除し、その後に扉１６を回動させることによって処置窓１５を開放して、収容児に処置を施す。収容児に対する処置が終了すると、上述の操作とは逆の操作で、処置窓１５を扉１６で閉塞し、扉１６を扉固定機構２１で閉塞状態に固定する。
【０００６】
【発明が解決しようとする課題】
ところで、収容児に対する処置の終了後に、処置窓１５を扉１６で閉塞する操作までは行っても、扉１６を扉固定機構２１で閉塞状態に固定する操作を忘れる場合がある。また、収容児に対する処置中に、何らかの原因で、処置窓開閉ツマミ２２が処置窓開閉ツマミ受け２３内に嵌入されている角度位置と同じ角度位置まで回動されていると、操作者が処置窓１５を扉１６で閉塞した後に処置窓開閉ツマミ２２を回動させたつもりでも、実際には処置窓開閉ツマミ２２が処置窓開閉ツマミ受け２３内に嵌入されていなくて、扉１６が扉固定機構２１で閉塞状態に固定されていない場合がある。
【０００７】
更に、フード１２内が高湿度に加湿されていると、アクリル樹脂製の扉１６のうちで高湿度の空気に曝されている内面側が膨張するので、扉１６のうちで回動軸１７に支持されていない処置窓開閉ツマミ２２の近傍部分が外面側へ反る。この結果、図９、１０に示されている様に、操作者が処置窓１５を扉１６で閉塞した後に処置窓開閉ツマミ２２を回動させても、処置窓開閉ツマミ２２が処置窓開閉ツマミ受け２３内に嵌入されなくて、扉１６が扉固定機構２１で閉塞状態に固定されない場合もある。
【０００８】
しかも、これらの何れの場合でも、処置窓１５に対する扉１６の角度が臨界角よりも小さくなるまで扉１６が回動されていれば、処置窓１５を閉塞する方向へ扉１６が自重で回動しようとする付勢力によって処置窓１５が一応は閉塞されているので、扉１６が扉固定機構２１で閉塞状態に固定されていないことを操作者が認識できないことがある。ところが、処置窓１５を閉塞する方向へ扉１６が自重で回動しようとする付勢力は強くないので、扉１６がこの状態でフード１２の内側から収容児の足等で押されると、扉１６が回動して処置窓１５が開放されてしまう。
【０００９】
そして、処置窓１５が開放されたままであると、フード１２内の環境が収容児に適切な生理的環境から逸脱して、収容児にとって好ましくない。従って、本願の発明は、処置窓の閉塞操作が確実には行われなくても、フード内の環境が収容児に適切な生理的環境に維持されるか、少なくとも、フード内の環境が収容児に適切な生理的環境から逸脱しにくい保育器を提供することを目的としている。
【００１０】
【課題を解決するための手段】
請求項１に係る保育器では、作動状態の扉回動制限手段が作動角よりも開放方向への扉の回動を抑止する。このため、扉回動制限手段が作動状態になっていれば、扉が扉固定手段で閉塞状態に固定されていない状態でフードの内側から収容児に押されても、作動角よりも開放方向へは扉が回動しなくて、扉の角度が作動角よりも大きくならない。
【００１１】
そして、作動角と扉が処置窓を閉塞している状態との間の角度では、扉回動制限手段は作動状態であっても扉の回動を許容する。このため、扉回動制限手段が作動状態になっていても、閉塞方向へ扉を更に回動させることによって扉で処置窓を閉塞することができ、操作者は扉を扉固定手段で閉塞状態に固定することができる。
【００１２】
一方、扉の角度が臨界角よりも小さければ扉は閉塞方向へ回動し、扉の角度が臨界角よりも大きければ扉は開放方向へ回動する。このため、作動角が臨界角よりも小さい場合は、扉の角度が臨界角よりも小さくなるまで閉塞方向へ扉を回動させれば、その後は閉塞方向へ扉自体が更に回動して扉の角度が作動角よりも小さくなり、扉回動制限手段が作動状態になる。また、扉の角度が臨界角よりも小さくなるまで閉塞方向へ扉を回動させなければ、逆方向である開放方向へ扉自体が回動して処置窓が開放され、操作者が処置窓の開放を直ちに認識して処置窓を閉塞し直すことができる。
【００１３】
また、作動角が臨界角よりも大きい場合は、扉の角度が臨界角よりも大きいが作動角よりは小さくなるまで閉塞方向へ扉を回動させれば、処置窓が閉塞したり開放したりする角度まで扉自体が回動することはないが、扉回動制限手段は作動状態になる。また、扉の角度が臨界角よりも大きいが作動角よりは小さくなるまで閉塞方向へ扉を回動させなければ、逆方向である開放方向へ扉自体が回動して処置窓が開放され、操作者が処置窓の開放を直ちに認識して処置窓を閉塞し直すことができる。なお、扉の角度が臨界角よりも小さくなるまで閉塞方向へ扉を回動させれば、扉回動制限手段が作動状態になるだけでなく、閉塞方向へ扉自体が更に回動する。
【００１４】
従って、処置窓を扉で閉塞し且つこの扉を扉固定手段で閉塞状態に固定するまでの操作が確実には行われなくても、扉の角度が作動角よりも大きくなることはなく、また、処置窓を閉塞する際の扉の回動角度が不十分でも、操作者が処置窓の開放を直ちに認識して処置窓を閉塞し直すことができる。
【００１５】
請求項２に係る保育器では、作動角が臨界角よりも小さい。このため、扉回動制限手段が作動状態になっていれば、扉が扉固定手段で閉塞状態に固定されていない状態で扉がフードの内側から収容児に押されても、収容児が扉をフードの内側から押すことをやめれば、逆方向である閉塞方向へ扉自体が回動して扉の角度が作動角よりも小さくなる。
【００１６】
請求項３に係る保育器では、作動状態を解除する作動解除部が扉回動制限手段に備えられている。このため、扉回動制限手段が作動状態になっていても、この作動状態を作動解除部で解除することによって、処置窓を開放することができる。
【００１７】
【発明の実施の形態】
以下、本願の発明の一実施形態を、図１〜６を参照しながら説明する。図６に示されている様に、本実施形態の保育器１１も、扉１６のうちで一方の扉固定機構２１における処置窓開閉ツマミ２２の近傍部分に扉回動制限機構３１が取り付けられており、この一方の扉固定機構２１における処置窓開閉ツマミ受け２３と扉回動制限機構３１とが係合することによって扉回動制限機構３１が作動状態になることを除いて、図７〜１１に示されている一従来例の保育器１１と実質的に同様の構成を有している。
【００１８】
図１〜５に示されている様に、扉回動制限機構３１には中空の本体３２が備えられており、ツマミ３３及び突起３４が本体３２に備えられている。ツマミ３３及び突起３４は、互いに固定されており、本体３２に対して同時に移動可能である。本体３２内には圧縮ばね３５が備えられており、ツマミ３３及び突起３４をそれらの一方の移動方向へ圧縮ばね３５が付勢している。扉回動制限機構３１に対応する処置窓開閉ツマミ受け２３には穴３６が設けられており、この穴３６の周囲が殻部３７になっている。
【００１９】
処置窓１５を閉塞する方向へ扉１６を回動させると、処置窓１５に対する扉１６の角度が臨界角よりも小さな所定の角度になった時に突起３４が殻部３７の開口端部に当接する。この状態から扉１６を更に僅かに回動させて、圧縮ばね３５の付勢力よりも強い押圧力を突起３４が殻部３７の開口端部から受けると、ツマミ３３及び突起３４が圧縮ばね３５の付勢力に抗して動かされる。このため、扉１６を更に僅かに回動させて、突起３４が殻部３７の開口端部を乗り越えると、殻部３７の開口端部からの押圧力が解除され、圧縮ばね３５の付勢力によって突起３４が穴３６内に挿入して、扉回動制限機構３１が作動状態になる。
【００２０】
突起３４が穴３６内に挿入して扉回動制限機構３１が作動状態になっても、扉１６が処置窓１５を閉塞するまで扉１６を更に回動させることができる様に、扉１６の回動方向における穴３６の幅と突起３４のうちで穴３６内に挿入する部分の幅とが定められている。このため、図２、３に示されている様に、扉回動制限機構３１が作動状態になっていても、扉１６を扉固定機構２１で閉塞状態に固定することができる。
【００２１】
しかし、扉回動制限機構３１が作動状態になっていると、扉１６が扉固定機構２１で閉塞状態に固定されていない状態でフード１２の内側から収容児の足等で押されても、図１に示されている様に、突起３４が殻部３７の開口端部の内側に当接する角度を超えて扉１６を回動させることはできない。収容児に対する処置を施すために、上述の角度を超えて扉１６を回動させて処置窓１５を開放するためには、圧縮ばね３５の付勢力に抗してツマミ３３を押圧し、突起３４を穴３６内から脱出させて、扉回動制限機構３１の作動状態を解除すればよい。なお、扉回動制限機構３１が単一であるので、ツマミ３３を押圧する操作は片手でできる。
【００２２】
突起３４が殻部３７の開口端部を乗り越えて穴３６内に挿入して扉回動制限機構３１が作動状態になる時の処置窓１５に対する扉１６の角度つまり作動角は、処置窓開閉ツマミ２２が処置窓開閉ツマミ受け２３内に嵌入されている角度位置と同じ角度位置まで回動されている状態で処置窓開閉ツマミ受け２３の外面に当接する扉１６の角度よりも大きい。このため、処置窓開閉ツマミ２２が上述の角度位置まで回動されている状態で、処置窓１５を閉塞する方向へ扉１６が回動されても、処置窓開閉ツマミ２２が処置窓開閉ツマミ受け２３の外面に当接した時点では、扉回動制限機構３１は既に作動状態になっている。
【００２３】
従って、処置窓開閉ツマミ２２が処置窓開閉ツマミ受け２３内に嵌入されている角度位置と同じ角度位置まで回動されている状態で扉１６が回動されても、また、扉１６のうちで処置窓開閉ツマミ２２の近傍部分が外面側へ反っていても、扉１６の角度が作動角よりも小さくなるまで扉１６を回動させれば、扉回動制限機構３１は作動状態になる。
【００２４】
また、作動角は臨界角よりも小さい。更に、扉１６の角度が臨界角よりも小さいために処置窓１５を閉塞する方向へ扉１６が自重で回動した時に突起３４が殻部３７の開口端部から受ける押圧力が圧縮ばね３５の付勢力よりも強くなる様に、圧縮ばね３５の付勢力や突起３４の形状等が定められている。このため、処置窓１５を閉塞する際に、扉１６の角度が臨界角よりも小さくなるまで扉１６を回動させなければ、扉回動制限機構３１は作動状態にならないが、処置窓１５を開放する方向へ扉１６が自重で回動するので、操作者は処置窓１５の開放を直ちに認識して処置窓１５を閉塞し直すことができる。
【００２５】
逆に、扉１６の角度が臨界角よりも小さくなるまで扉１６を回動させさえすれば、その後は、扉１６を更に回動させなくても、また、圧縮ばね３５の付勢力に抗してツマミ３３を押圧しなくても、扉回動制限機構３１が作動状態になる。また、扉回動制限機構３１が作動状態になっていれば、扉１６が扉固定機構２１で閉塞状態に固定されていない状態で扉１６がフード１２の内側から収容児に押されても、収容児が扉１６をフード１２の内側から押すことをやめれば、処置窓１５を閉塞する方向へ扉１６が自重で回動して扉１６の角度が作動角よりも小さくなる。このため、フード１２内の環境が収容児に適切な生理的環境に維持される。
【００２６】
なお、以上の実施形態の保育器１１では、作動角が臨界角よりも小さいが、作動角が臨界角よりも大きくてもよい。その場合は、扉１６が扉固定機構２１で閉塞状態に固定されていない状態でフード１２の内側から収容児の足等で押されて作動角まで回動させられると、処置窓１５を閉塞する方向へ扉１６が自重で回動して扉１６の角度が作動角よりも小さくなることはないが、扉１６の角度が作動角よりも大きくなることもない。このため、フード１２内の環境が収容児に適切な生理的環境から逸脱しにくい。但し、作動角が臨界角よりも過剰に大きいと、扉１６が作動角まで回動させられた場合にフード１２内の環境が変動し易くなるので、臨界角よりも過剰に大きな作動角は好ましくない。
【００２７】
また、以上の実施形態の保育器１１では、扉回動制限機構３１を作動状態にするための穴３６が扉固定機構２１の処置窓開閉ツマミ受け２３に設けられているが、扉固定機構２１とは別個の独立の部材に穴３６が設けられていてもよい。また、扉回動制限機構３１が扉１６に取り付けられており、穴３６がフード１２側に設けられているが、これらの位置関係は互いに逆でもよい。また、扉回動制限機構３１の突起３４が穴３６に対して移動可能になっているが、穴３６が扉回動制限機構３１の突起３４に対して移動可能になっていてもよい。
【００２８】
また、以上の実施形態の保育器１１では、処置窓１５に対する扉１６の角度が臨界角よりも大きいか小さいかによって、扉１６が処置窓１５を開放する方向か閉塞する方向かの何れかへ自重で回動するが、この回動を生じさせるために、自重以外の付勢力が扉１６に印加されていてもよい。
【００２９】
【発明の効果】
請求項１に係る保育器では、処置窓を扉で閉塞し且つこの扉を扉固定手段で閉塞状態に固定するまでの操作が確実には行われなくても、扉の角度が作動角よりも大きくなることはなく、また、処置窓を閉塞する際の扉の回動角度が不十分でも、操作者が処置窓の開放を直ちに認識して処置窓を閉塞し直すことができる。従って、処置窓の閉塞操作が確実には行われなくても、フード内の環境が収容児に適切な生理的環境に維持されるか、少なくとも、フード内の環境が収容児に適切な生理的環境から逸脱しにくい。
【００３０】
請求項１に係る保育器では、扉回動制限手段が作動状態になっていれば、扉が扉固定手段で閉塞状態に固定されていない状態で扉がフードの内側から収容児に押されても、収容児が扉をフードの内側から押すことをやめれば、逆方向である閉塞方向へ扉自体が回動して扉の角度が作動角よりも小さくなる。従って、フード内の環境が収容児に適切な生理的環境から更に逸脱しにくい。
【００３１】
請求項１に係る保育器では、扉回動制限手段が作動状態になっていても、この作動状態を作動解除用ツマミの操作により解除することによって、処置窓を開放することができる。従って、収容児に対する処置が扉回動制限手段によって阻害されることはない。
【図面の簡単な説明】
【図１】本願の発明の一実施形態の要部を示しており、処置窓が途中まで開放されている状態の部分断面側面図である。
【図２】本願の発明の一実施形態の要部を示しており、処置窓が閉塞されている状態の斜視図である。
【図３】本願の発明の一実施形態の要部を示しており、処置窓が閉塞されている状態の部分断面側面図である。
【図４】本願の発明の一実施形態の要部を示しており、処置窓を閉塞している扉が反っている状態の斜視図である。
【図５】本願の発明の一実施形態の要部を示しており、処置窓を閉塞している扉が反っている状態の部分断面側面図である。
【図６】本願の発明の一実施形態の全体を示す斜視図である。
【図７】本願の発明の一従来例の要部を示しており、処置窓が閉塞されている状態の斜視図である。
【図８】本願の発明の一従来例の要部を示しており、処置窓が閉塞されている状態の側面図である。
【図９】本願の発明の一従来例の要部を示しており、処置窓を閉塞している扉が反っている状態の斜視図である。
【図１０】本願の発明の一従来例の要部を示しており、処置窓を閉塞している扉が反っている状態の側面図である。
【図１１】本願の発明の一従来例の全体を示す斜視図である。
【符号の説明】
１１…保育器、１２…フード、１５…処置窓、１６…扉、２１…扉固定機構（扉固定手段）、３１…扉回動制限機構（扉回動制限手段）、３３…ツマミ（作動解除部）
【図１】
0004587531.tif 000002
【図２】
0004587531.tif 000003
【図３】
0004587531.tif 000004
【図４】
0004587531.tif 000005
【図５】
0004587531.tif 000006
【図６】
0004587531.tif 000007
【図７】
0004587531.tif 000008
【図８】
0004587531.tif 000009
【図９】
0004587531.tif 000010
【図１０】
0004587531.tif 000011
【図１１】
0004587531.tif 000012